(57)【要約】【課題】コンパクトであって運搬、取り扱い等の容易な不活性ガス注入制御装置を提供する。【解決手段】不活性ガスを溶接すべき金属管（１９）内に断続的に注入するための装置本体（５１）と、該装置本体を制御するリモコン装置（５３）とよりなり、該装置本体は、ケース（５５）内に不活性ガスの送り管（５７）を配設し、該送り管の一端にはボンベ（１１）に接続するための第一接続端（５９）を備えさせ、該送り管の他端には溶接すべき金属管に接続するための第二接続端（６１）を備えさせ、更に該ケース内には該送り管を開閉する電磁弁（６３）を配設し、該電磁弁を前記リモコン装置により制御するようにしてなることを特徴とする不活性ガス注入制御装置【選択図】図１
0003102775.tif 000002
【実用新案登録請求の範囲】
【請求項１】
不活性ガスを溶接すべき金属管内に断続的に注入するための装置本体と、該装置本体を制御するリモコン装置とよりなり、
該装置本体は、ケース内に不活性ガスの送り管を配設し、該送り管の一端にはボンベに接続するための第一接続端を備えさせ、該送り管の他端には溶接すべき金属管に接続するための第二接続端を備えさせ、更に該ケース内には該送り管を開閉する電磁弁を配設し、該電磁弁を前記リモコン装置により制御するようにしてなることを特徴とする不活性ガス注入制御装置。
【考案の詳細な説明】
【技術分野】
【０００１】
本考案は、不活性ガス注入制御装置に関するものであり、更に詳しくは、エアコン装置の冷媒管、病院、工場等の導管等の金属管を溶接により接続する際に金属管の内面が酸化されて酸化被膜等の酸化物が金属管内に発生することを防止するために溶接時に金属管内に窒素ガス等の不活性ガスを注入する際に、該不活性ガスの注入を制御するようにした装置に係るものである。
【背景技術】
【０００２】
本出願人は、特許第３０９２９１８号において、溶接時における金属管に対する不活性ガスの注入方法を提供している。
【０００３】
この注入方法は、不活性ガスの供給管を溶接すべき金属管の一端に接続し、該金属管の他端を開口した状態で該供給管により不活性ガスを金属管内に注入するようにした不活性ガスの注入方法において、該不活性ガスとして窒素ガスを用い、該窒素ガスを微圧にて断続的に金属管内に注入することにより、金属管内の空気を窒素ガスにより金属管の前記他端より金属管外に押し出させ、金属管内の空気を窒素ガスにより置換するようにしたことを特徴とするものである。
【０００４】
特許第３０９２９１８号公報は、更に上記方法に使用される不活性ガスの注入装置を開示している。
【０００５】
この不活性ガスの注入装置を図３に従って説明する。
符号１１に示すものは窒素ガス等の不活性ガスを収納したボンベである。ボンベ１１には減圧弁１３と電磁弁１５とを介して不活性ガスの供給管１７を取り付け、該供給管１７より溶接すべき金属管１９内に不活性ガスを注入するようになす。符号２１、２３、２５に示すものは連結管である。
【０００６】
電磁弁１５は遠隔制御装置３１により制御される。この遠隔制御装置３１は、電波式又は赤外線式のリモコンスイッチ３３によりリモコンリレー３５を遠隔制御し、該リモコンリレー３５により電磁弁１５を開閉させるようにしたものである。
【０００７】
不活性ガスの供給管１７は、ユニオン継手４１を介して溶接すべき金属管１９の一端に接続し、金属管１９の他端は開口する。
【特許文献１】特許第３０９２９１８号公報
【考案の開示】
【考案が解決しようとする課題】
【０００８】
前記従来の注入方法は、窒素ガスを溶接すべき金属管内に微圧にて断続的に注入することにより、金属管内の空気を攪拌することなく金属管内の空気を窒素ガスにより金属管の前記他端より金属管外に押し出させ、金属管内の空気を窒素ガスにより置換するようにしたため、窒素ガスの使用量は極めて少なくて済み、経済的であると共に、金属管と金属管との未溶接の接続部等から金属管の外部の空気が金属管内に誘引されるおそれもないという優れた方法である。
【０００９】
しかしながら、前記従来の不活性ガスの注入装置は、嵩張るものであって、運搬、取り扱い等に不便である。
【００１０】
そこで、本考案は、前記従来の不活性ガスの注入装置におけるこのような問題を解決し、コンパクトであって運搬、取り扱い等の容易な不活性ガス注入制御装置を提供しようとしてなされたものである。
【課題を解決するための手段】
【００１１】
上記課題を解決するために、本考案は下記の不活性ガス注入制御装置を提供するものである。
【００１２】
即ち、本考案による不活性ガス注入制御装置は、
不活性ガスを溶接すべき金属管内に断続的に注入するための装置本体と、該装置本体を制御するリモコン装置とよりなり、
該装置本体は、ケース内に不活性ガスの送り管を配設し、該送り管の一端にはボンベに接続するための第一接続端を備えさせ、該送り管の他端には溶接すべき金属管に接続するための第二接続端を備えさせ、更に該ケース内には該送り管を開閉する電磁弁を配設し、該電磁弁を前記リモコン装置により制御するようにしてなることを特徴とするものである。
【考案の効果】
【００１３】
本考案によれば、ケース内に不活性ガスの送り管、電磁弁等を配設し、該電磁弁をリモコン装置により開閉させるようにしているため、不活性ガス注入制御装置はコンパクトなものとなり、運搬、取り扱い等が容易である。
【考案を実施するための最良の形態】
【００１４】
符号５１に示すものは不活性ガスを溶接すべき金属管１９内に断続的に注入するための装置本体、符号５３に示すものは該装置本体５１を制御するリモコン装置である。
【００１５】
装置本体５１は、ケース５５内に不活性ガスの送り管５７を配設し、該送り管５７の一端には窒素ガス等の不活性ガスを収納したボンベ１１に接続するための第一接続端５９を備えさせ、該送り管５７の他端には溶接すべき金属管１９に接続するための第二接続端６１を備えさせ、更に該ケース５５内には該送り管５７を開閉する電磁弁６３を配設し、該電磁弁６３を前記リモコン装置５３により制御するようにしてなるものである。
【００１６】
リモコン装置５３は、ワイヤ（図示せず。）を介して装置本体５１と接続してもよいが、図示のリモコン装置５３はワイヤレスタイプであり、装置本体５１のケース５５内に受信機６５を備えさせている。
【００１７】
図１における符号６７、６９、７１に示すものは連結管であり、符号７３に示すものはガス圧調整器である。ガス圧調整器７３は、ガス圧を例えば０．０２〜０．０５ＭＰａに調整する。
【００１８】
リモコン装置５３は、一例として押しボタン７５を備えている。押しボタン７５を押したとき（ＯＮ）には、電磁弁６３が開となる。押しボタン７５を離したときには、押しボタン７５はバネ（図示せず。）の力により元の位置（ＯＦＦ）に戻って電磁弁６３が閉となる。
【００１９】
不活性ガスは、約２秒毎に注入と停止とを繰り返すことが望ましい。即ち、リモコン装置５３の押しボタン７５を約２秒の間隔でＯＮとＯＦＦとを反復することが望ましい。
【００２０】
リモコン装置５３の押しボタン７５は、これを押し続けたときでも、５秒後には自動的にＯＦＦの位置に戻る。
【００２１】
符号７７に示すものはリモコン装置５３のＯＮ・ＯＦＦスイッチである。
【図面の簡単な説明】
【００２２】
【図１】本考案による不活性ガス注入制御装置の一例を示す断面図である。
【図２】同上不活性ガス注入制御装置をケースの上部を取り外して示す斜視図である。
【図３】特許第３０９２９１８号公報に示されている不活性ガスの注入装置の説明図である。
【符号の説明】
【００２３】
１１  ボンベ
１３  減圧弁
１５  電磁弁
１７  供給管
１９  金属管
２１  連結管
２３  連結管
２５  連結管
３１  遠隔制御装置
３３  リモコンスイッチ
３５  リモコンリレー
４１  ユニオン継手
５１  装置本体
５３  リモコン装置
５５  ケース
５７  送り管
５９  第一接続端
６１  第二接続端
６３  電磁弁
６５  受信機
６７  連結管
６９  連結管
７１  連結管
７３  ガス圧調整器
７５  押しボタン
７７  ＯＮ・ＯＦＦスイッチ
【図１】
0003102775.tif 000003
【図２】
0003102775.tif 000004
【図３】
0003102775.tif 000005